(57)【要約】【課題】１つの信号処理系しか持たない記録再生装置において、リアルタイム記録をしながら記録信号の異常を検出する。【解決手段】記録開始時に入力されたディジタル信号の冒頭に所定の固定パターン信号を挿入する信号挿入部１０４と、ディジタル信号を圧縮して圧縮ディジタル圧縮信号とする信号処理部１０２と、ディジタル圧縮信号を記録媒体１０３に記録する直前で抽出する信号抽出部１０５と、信号抽出部１０５によって抽出された信号を記録する信号記憶部１０６と、固定パターン信号が異常なく圧縮された圧縮ディジタル信号と等しいパターン信号を参照信号として記録した参照信号記憶部１０７と、参照信号と信号記憶部に記憶された信号とを読み出して比較する信号比較部１０８とを設けた。【選択図】図１
2007334924.tif 000002
【特許請求の範囲】
【請求項１】
記録開始時に、入力されたディジタル信号の冒頭に所定の固定パターン信号を挿入する信号挿入部と、
前記ディジタル信号を圧縮してディジタル圧縮信号とする信号処理部と、
前記ディジタル圧縮信号を記録媒体に記録する直前で抽出する信号抽出部と、
前記信号抽出部によって抽出された信号を記憶する信号記憶部と、
前記固定パターン信号が異常なく圧縮された圧縮ディジタル信号と等しいパターン信号を参照信号として予め記録した参照信号記憶部と、
前記参照信号と前記信号記憶部に記憶された信号とを読み出して比較する信号比較部とを設けたディジタル記録再生装置。
【請求項２】
前記信号処理部から出力された前記ディジタル圧縮信号のうち前記固定パターン信号を圧縮した信号を記録媒体に記録しない信号制御部を、前記信号処理部と記録媒体との間に介挿した請求項１記載のディジタル記録再生装置。
【請求項３】
前記信号挿入部は、入力されたディジタル信号の有効領域外に前記固定パターン信号を挿入する請求項１または２に記載のディジタル記録再生装置。
【発明の詳細な説明】
【技術分野】
【０００１】
本発明は、ディジタル記録再生装置における信号処理系の異常検出に関する。
【背景技術】
【０００２】
従来、ディジタル映像信号の記録再生装置には記録媒体として、磁気テープや光ディスクが用いられている。この種のディジタル記録再生装置において、ディジタル映像信号が正しく記録媒体に記録されているかを確認する方法として、例えば、特許文献１に記載されているようなものがあった。図３はこのような従来のディジタル記録再生装置のブロック図である。図３において、入力端子２０１から入力された入力信号は可変長圧縮回路２０２で圧縮ディジタル信号となる。記録信号切替回路２１４は、通常はこの圧縮ディジタル信号を記録信号処理回路２０３に送る。圧縮ディジタル信号は記録信号処理回路２０３でインターリーブ化や誤り訂正符号化、同期信号の付加や変調などの処理がなされ、記録ヘッド２０４で磁気テープ２０５に記録される。その後、記録された圧縮ディジタル信号は再生ヘッド２０６で再生され、再生信号処理回路２０７でクロック抽出や同期信号検出、復調などの処理がなされ、誤り訂正回路２０８を経て、ベリファイ回路２１２で入力信号と比較される。ここで、一致しないデータブロックについては、このデータブロックに異常が発生しているため、再生時の訂正用に、遅延回路２１１で遅延させておいた圧縮ディジタル信号から再記録信号生成回路２１３が再記録信号を生成する。記録信号切替回路２１４は、再記録時には再記録信号を記録信号処理回路２０３に送る。この再記録信号は記録信号処理回路２０３を経由して記録ヘッド２０４に供給され、磁気テープ２０５の余剰部分に記録される。
【０００３】
また、信号の再生に関しては、再生ヘッド２０６により再生された信号が再生信号処理回路２０７、誤り訂正回路２０８を経て、遅延回路２１５、再記録信号抽出回路２１６に供給される。再記録信号抽出回路２１６は訂正用の再記録信号を抽出し、遅延回路２１５はこの再記録信号が再生されるまで再生圧縮ディジタル映像信号を遅延する。これら遅延回路２１５からの再生信号、再記録信号抽出回路２１６からの再生信号は再生信号切替回路２１７によって切り替えられ、伸長回路２０９で、もとのディジタル信号に復元され、出力端子２１０から再生される。
【特許文献１】特開平６−１３１８２５号公報
【発明の開示】
【発明が解決しようとする課題】
【０００４】
しかしながら、前記従来の方法では、リアルタイムに記録・再生信号を比較し、異常検出を行うため、記録媒体へ記録を行う信号処理経路、記録媒体から再生を行う信号処理経路の２つが必要になる。したがって、例えば記録・再生を切り替えて使用するような１つの信号処理系しかもたない記録再生装置の場合、記録及び再生を同時に行うと信号の衝突が起こるために、記録及び再生を同時に行う従来の方法を利用することが出来ないという課題があった。また、記録及び再生を時分割で切り替えて従来の方法を適用するとした場合、高速な信号の切替が必要となり回路制御が難しくなるといった課題や、再生中は記録が行えないためリアルタイムの記録が難しくなるという課題があった。
【０００５】
本発明は上記課題に鑑み、１つの信号処理系しか持たない記録再生装置において、リアルタイム記録をしながら記録信号の異常を検出するディジタル記録再生装置を提供することを目的とする。
【課題を解決するための手段】
【０００６】
本発明は、上記課題を解決するために、記録開始時に入力されたディジタル信号の冒頭に所定の固定パターン信号を挿入する信号挿入部と、ディジタル信号を圧縮して圧縮ディジタル圧縮信号とする信号処理部と、ディジタル圧縮信号を記録媒体に記録する直前で抽出する信号抽出部と、信号抽出部によって抽出された信号を記憶する信号記憶部と、固定パターン信号が異常なく圧縮された圧縮ディジタル信号と等しいパターン信号を参照信号として予め記録した参照信号記憶部と、参照信号と信号記憶部に記憶された信号とを読み出して比較する信号比較部とを設け、この構成によって、記録信号に異常がないかどうかを検出する。
【発明の効果】
【０００７】
本発明のディジタル記録再生装置によれば、記録直前の固定パターン信号を参照信号と比較することで、信号処理部に異常がないか判定することが出来る。そのため、１つの信号処理経路で信号処理部の誤動作による記録信号の異常を検出することが出来、記録開始及び記録時に確認することが出来る。
【発明を実施するための最良の形態】
【０００８】
以下本発明を実施するための最良の形態について、図面を参照しながら説明する。
【０００９】
（実施の形態１）
図１は、本発明の実施の形態１にかかるディジタル信号記録再生装置のブロック図である。図１において、信号処理部１０２は、入力端子１０１から入力されたディジタル映像信号の圧縮、変換等を行う。ただし、本発明ではフレーム単位で固定パターン信号１１１のみを抽出する必要があり、説明を簡略化するため、信号の圧縮方式はフレーム内圧縮とする。圧縮されたディジタル圧縮信号は、半導体メモリ、ハードディスク及び光ディスク等の記録媒体１０３に記録される。
【００１０】
図１において、ユーザが記録開始スイッチを操作する等してディジタル信号記録再生装置が記録を開始すると、まず信号挿入部１０４から固定パターン信号１１１が入力端子１０１から入力されたディジタル映像信号に挿入される。固定パターン信号１１１は、予め決められた所定の映像信号であればなんでもよいが、例えばいわゆるカラーバーでもよい。
【００１１】
図６に映像信号フレームの構成図を示す。図６において、１映像フレームは、総走査線領域３０６で構成される。総走査線領域３０６は、表示される映像信号が含まれる有効走査線領域３０５と、総走査線領域３０６から有効走査線領域３０５を除いた有効領域外３０４とからなる。
【００１２】
図４に固定パターン信号１１１の挿入の仕方を示す。図４において、信号処理部１０２に入力されるディジタル映像信号が、入力される順に右方向へと並んでいる。固定パターン信号１１１は記録開始時に入力されるディジタル映像信号３０２の直前にｎフレームだけ挿入される。ここで、挿入するフレームｎは予め決められている。また、固定パターン信号１１１の挿入は記録開始時にのみ行われる。なお、ｎフレームの固定パターン信号１１１が挿入されている間、入力端子１０１から入力されるディジタル映像信号は、バッファメモリ等を用いて遅延させることで、ユーザが記録開始を指示した後に入力されたディジタル映像信号はすべて記録媒体１０３に記録する。
【００１３】
固定パターン信号１１１は、入力端子１０１から入力されたディジタル映像信号と同様に、信号処理部１０２で圧縮変換される。固定パターン信号１１１を含むディジタル圧縮信号は、記録媒体１０３と信号抽出部１０５に供給される。信号抽出部１０５は記録開始時から予め決められたｎフレーム分だけを抽出する。抽出された信号は固定パターン信号１１１が圧縮変換されたｎフレーム分のディジタル圧縮信号となっている。この抽出された信号は信号記憶部１０６に一時的に記録される。
【００１４】
信号比較部１０８は、信号記憶部１０６に記録された信号と、参照信号とを比較する。参照信号は、予め固定パターン信号１１１を正常に信号処理部１０２に通したときの出力と同じ信号である。参照信号は、参照信号記憶部１０７が記憶しており、必要に応じて信号比較部１０８に供給される。比較の結果、信号に差異があれば信号の異常があると判断し、信号の異常を表示部１０９に表示する。
【００１５】
以上の構成により、信号処理部１０２の異常を記録開始時に検出し、表示部１０９に表示することが出来る。
【００１６】
なお、信号処理部１０２での圧縮方式としてフレーム間圧縮を用いる場合は、例えばＧＯＰ（Ｇｒｏｕｐ  ｏｆ  Ｐｉｃｔｕｒｅｓ）単位の先頭イントラフレームで検出することにより、フレーム内圧縮で先頭フレームに固定パターン信号を挿入する場合と同じ効果が得られる。但し、例えば１グループ単位のフレーム数が１５であるＬｏｎｇ−ＧＯＰの場合、その１５フレームの間中固定信号を流している必要がある。
【００１７】
なお、表示部１０９は、信号に異常がない場合には異常がないことを表示するようにしてもよい。また、異常を検出した場合には記録動作を停止するようにしてもよい。
【００１８】
（実施の形態２）
図２は、本発明の実施の形態２にかかるディジタル信号記録再生装置の一実施例を示すブロック図である。図２において、図１と同じ構成については同じ符号を用い、説明を省略する。
【００１９】
本実施の形態が実施の形態１と異なるところは、記録媒体１０３の前段に信号制御部１１０を設けているところである。信号制御部１１０は、固定パターン信号１１１を記録媒体に記録しないようにする。固定パターン信号１１１の挿入フレーム数ｎは既知であるため、信号制御部１１０は記録開始時からｎフレームだけは入力信号を記録媒体１０３に供給しないようにし、ｎ＋１フレーム目から記録媒体１０３に供給する。
【００２０】
以上のように構成されたディジタル信号記録再生装置において、固定パターン信号１１１は信号制御部１１０により記録媒体１０３に記録されない。これによって、記録者にとって不必要な情報が記録媒体に記録され、記録容量を圧迫することを防ぐことが出来る。  
【００２１】
（実施の形態３）
本実施の形態のディジタル信号記録再生装置の基本構成は、図１に示す実施の形態１のディジタル信号記録再生装置と同様であるが、信号挿入部１０４が固定パターン信号１１１を挿入する方法が異なる。
【００２２】
図５は、本発明の実施の形態３におけるディジタル信号記録再生装置の固定パターン信号の挿入方法を示す図である。
【００２３】
信号挿入部１０４は、入力端子１０１から入力されるディジタル映像信号３０３の有効領域外に固定パターン信号１１１を挿入する。信号抽出部１０５は、有効領域外から固定パターン信号１１１を抽出することにより、記録開始時のみだけでなく、記録中に異常の有無を検出できる。この手法は、例えばＨ．２６４など、有効領域外においても圧縮の可能な圧縮方式において有効である。その際の参照信号としては固定パターン信号であれば何でもよい。また、固定パターン信号１１１が、圧縮後にどのブロックに相当するかが予めわかっていれば、該当ブロックのみで検出を行い、検出後はそのブロックを消去することで記録媒体に記録しない構成も可能となる。
【産業上の利用可能性】
【００２４】
本発明にかかるディジタル記録再生装置によれば、１つの信号処理経路で信号処理部の誤動作による記録信号の異常を検出することが出来、記録開始時及び記録時に確認することができるので、半導体メモリ等を記録媒体として用いるディジタル記録再生装置等にも有用である。
【図面の簡単な説明】
【００２５】
【図１】本発明の実施の形態１にかかるディジタル記録再生装置のブロック図
【図２】本発明の実施の形態２にかかるディジタル記録再生装置のブロック図
【図３】従来のディジタル記録再生装置のブロック図
【図４】本発明の実施の形態１における固定パターン信号挿入の仕方を示す図
【図５】本発明の実施の形態３における固定パターン信号挿入の仕方を示す図
【図６】映像信号フレームの構成図
【符号の説明】
【００２６】
１０１  入力端子
１０２  信号処理部
１０３  記録媒体
１０４  信号挿入部
１０５  信号抽出部
１０６  信号記憶部
１０７  参照信号記憶部
１０８  信号比較部
１０９  表示部
１１０  信号制御部
１１１  固定パターン信号
２０１  入力端子
２０２  可変長圧縮回路
２０３  記録信号処理回路
２０４  記録ヘッド
２０５  磁気テープ
２０６  再生ヘッド
２０７  再生信号処理回路
２０８  誤り訂正回路
２０９  伸長回路
２１０  出力端子
２１１  遅延回路
２１２  ベリファイ回路
２１３  再記録信号生成回路
２１４  記録信号切替回路
２１５  遅延回路
２１６  再記録信号抽出回路
２１７  再生信号切替回路
３０２  ディジタル映像信号
３０３  ディジタル映像信号
３０４  有効領域外
３０５  有効走査線領域
３０６  総走査線領域
【図１】
2007334924.tif 000003
【図２】
2007334924.tif 000004
【図３】
2007334924.tif 000005
【図４】
2007334924.tif 000006
【図５】
2007334924.tif 000007
【図６】
2007334924.tif 000008